(57)【要約】【課題】核医学診断装置において、核医学画像の画質を向上させること。【解決手段】被検体から放射されるガンマ線を検出する検出器と、前記検出器を前記被検体の体軸周囲に回転する回転支持機構と、前記検出器で収集したデータを基に前記被検体内部の核医学画像を生成するＳＰＥＣＴ装置１０は、測定治具内に収納された複数のポイントソースから放射させるガンマ線を、複数の方向から前記検出器で検出する手段と、前記検出器で収集したポイントソースの位置情報に基づいて、前記検出器の重さの影響によりたわみにより生じる検出面の傾きを補正する傾き補正情報を求める補正係数演算部と、を備える。【選択図】  図１
2008145393.tif 000002
【特許請求の範囲】
【請求項１】
被検体から放射されるガンマ線を検出する検出器と、前記検出器を前記被検体の体軸周囲に回転する回転支持機構と、前記検出器で収集したデータを基に前記被検体内部の核医学画像を生成する核医学診断装置において、
測定治具内に収納された複数のポイントソースから放射させるガンマ線を、複数の方向から前記検出器で検出する手段と、
前記検出器で収集したポイントソースの位置情報に基づいて、前記検出器の重さの影響によりたわみにより生じる検出面の傾きを補正する傾き補正情報を求める補正係数演算部と、を備えることを特徴とする核医学診断装置。
【請求項２】
前記補正係数演算部は、前記検出器の理想的な位置における視野中心軸と前記検出器の理想的な位置における回転中心軸との交点に有するポイントソースの位置をフーリエ近似して、前記検出器の理想的な位置と前記検出器の実際の位置とのシフト量を平滑化することを特徴とする請求項１に記載の核医学診断装置。
【請求項３】
前記補正係数演算部は、前記傾き補正情報としての回転中心補正係数を、回転によって前記検出器に“たわみ”を生じさせる要因となる条件毎に演算したデータによって、回転中心のずれを補正するデータを求めることを特徴とする請求項１に記載の核医学診断装置。
【請求項４】
前記補正係数演算部は、前記傾き補正情報を、前記検出器の回転角度毎に演算することを特徴とする請求項１に記載の核医学診断装置。
【請求項５】
核医学診断装置の較正を行なうためのものであり、複数のポイントソースを保持するように構成された測定治具において、
前記核医学診断装置の回転中心位置にポイントソースを保持する第１保持部と、
前記核医学診断装置の回転中心位置と異なる位置にポイントソースを保持する第２、第３保持部と、を備えることを特徴とする核医学画像の回転中心補正用の測定治具。
【請求項６】
前記核医学診断装置の回転中心位置と異なる位置にポイントソースを保持する第４、第５保持部を備え、前記第１乃至第５の保持部は、測定治具の上面及び側面から見て重ならないように配置することを特徴とする請求項５に記載の核医学画像の回転中心補正用の測定治具。
【請求項７】
被検体に投与した放射線同位物質から放射されるガンマ線を検出する検出器と、この検出器によって前記被検体の体軸周囲に回転するＳＰＥＣＴ装置と、前記ＳＰＥＣＴ装置で取得した投影データを基に生成される前記被検体内部の核医学画像の回転中心補正方法において、
前記検出器の理想的な位置における視野中心軸と前記検出器の理想的な位置における回転中心軸との交点に有するポイントソースを含む複数のポイントソースを保持する測定治具に関する投影データを、前記検出器の実際の位置によって測定治具実測投影データとして収集する測定治具実測投影データ収集工程と、
前記測定治具に関する投影データを、前記検出器の理想的な位置によって収集することを想定したシミュレーションによって測定治具理想投影データとして演算する測定治具理想投影データ演算工程と、
前記測定治具実測投影データと前記測定治具理想投影データとによって回転中心補正係数を演算する回転中心補正係数演算工程と、
前記被検体に関する投影データを、前記検出器の実際の位置によって患者投影データとして収集する患者投影データ収集工程と、
前記患者投影データを、前記回転中心補正係数によって補正する前処理工程と、を有することを特徴とする核医学画像の回転中心補正方法。
【発明の詳細な説明】
【技術分野】
【０００１】
被検体に投与された放射性同位物質から放出されるガンマ線に基づいて核医学画像を生成して表示する核医学診断装置、核医学画像の回転中心補正用の測定治具及び核医学画像の回転中心補正方法に関する。
【背景技術】
【０００２】
従来から行なわれている医用画像診断の方法の一つに、核医学診断装置を適用して被検体である患者の関心領域の画像を取得する方法がある。核医学診断装置では、患者に投与された放射線同位物質（ＲＩ：Ｒａｄｉｏａｃｔｉｖｅ  Ｉｓｏｔｏｐｅｓ）から放射されるガンマ線を、患者の体軸を中心軸とした円周上を回転可能に設けられた検出器により検出し、この検出データを基にして画像の再構成を行ない、患者体内のＲＩの濃度分布断層像を取得する。核医学診断装置としては、例えばＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置がある。
【０００３】
ＳＰＥＣＴ装置では、検出器としてガンマカメラ等の重量の大きいものが用いられている。よって、検出器を中心軸とした円周上に沿って検出器を回転させると、検出器の重量や検出器の支持部材の強度による影響により検出器の視野中心軸が検出器の回転中心軸からずれてしまい、検出器で得られる核医学画像の中心が回転中心軸からずれることが多い。核医学画像の中心のずれによって、核医学画像の画質が低下するので、投影データに対して回転中心補正が行なわれている。
【０００４】
回転中心補正では、ガンマカメラの真の回転中心位置（補正中心としたい位置）にＲＩの点線源（ポイントソース）を配置する。そして、ガンマカメラを回転させてＳＰＥＣＴ収集を行ない、ポイントソースの周り３６０°方向からデータを収集する。図８は、検出器の回転角度とポイントソースのずれとの関係をグラフとして示す図である。
【０００５】
回転角度θのときに収集された画像上のポイントソースの位置を（ΔＸ，ΔＹ，θ）、中心を（０，０）とすると、画像上の回転中心のずれはΔＸ，ΔＹに相当するので、この回転中心θにおける回転中心補正値を（−ΔＸ，−ΔＹ，θ）とする。すなわち、画像上の中心が（−ΔＸ，−ΔＹ，θ）となるように画像用データに補正処理を行なう。
【０００６】
又は、回転角度θについてΔＸ，ΔＹを三角関数にフィティングして、その関数値ΔＸ１，ΔＹ１をガンマカメラにおける画像中心のずれとし、（−ΔＸ１，−ΔＹ１，θ）を回転中心補正値とする。画像再構成時、回転中心補正量値を用いて投影データのアフィン変換を行ない、回転中心補正を行なう。
【０００７】
また、検出器の回転中心に対する検出器の位置のずれを各回転角度について測定し、その回転中心補正を行なうＳＰＥＣＴ装置がある（例えば、特許文献１参照。）。
【特許文献１】特開平４−１２０４９１号公報
【発明の開示】
【発明が解決しようとする課題】
【０００８】
しかしながら、従来のＳＰＥＣＴ装置では、投影データが全般的に上下左右にシフトされるずれ量は計算できても、カメラの自重によるカメラ取り付け部のたわみによる画像の傾き等は補正できなかった。
【０００９】
本発明は、上述した事情を考慮してなされたもので、核医学画像の画質を向上することができる核医学診断装置、核医学画像の回転中心補正用の測定治具及び核医学画像の回転中心補正方法を提供することを目的とする。
【課題を解決するための手段】
【００１０】
本発明に係る核医学診断装置は、上述した課題を解決するために請求項１に記載したように、被検体から放射されるガンマ線を検出する検出器と、前記検出器を前記被検体の体軸周囲に回転する回転支持機構と、前記検出器で収集したデータを基に前記被検体内部の核医学画像を生成する核医学診断装置において、測定治具内に収納された複数のポイントソースから放射させるガンマ線を、複数の方向から前記検出器で検出する手段と、前記検出器で収集したポイントソースの位置情報に基づいて、前記検出器の重さの影響によりたわみにより生じる検出面の傾きを補正する傾き補正情報を求める補正係数演算部と、を備える。
【００１１】
本発明に係る核医学画像の回転中心補正用の測定治具は、上述した課題を解決するために請求項５に記載したように、核医学診断装置の較正を行なうためのものであり、複数のポイントソースを保持するように構成された測定治具において、前記核医学診断装置の回転中心位置にポイントソースを保持する第１保持部と、前記核医学診断装置の回転中心位置と異なる位置にポイントソースを保持する第２、第３保持部と、を備える。
【００１２】
本発明に係る核医学画像の回転中心補正方法は、上述した課題を解決するために請求項７に記載したように、被検体に投与した放射線同位物質から放射されるガンマ線を検出する検出器と、この検出器によって前記被検体の体軸周囲に回転するＳＰＥＣＴ装置と、前記ＳＰＥＣＴ装置で取得した投影データを基に生成される前記被検体内部の核医学画像の回転中心補正方法において、前記検出器の理想的な位置における視野中心軸と前記検出器の理想的な位置における回転中心軸との交点に有するポイントソースを含む複数のポイントソースを保持する測定治具に関する投影データを、前記検出器の実際の位置によって測定治具実測投影データとして収集する測定治具実測投影データ収集工程と、前記測定治具に関する投影データを、前記検出器の理想的な位置によって収集することを想定したシミュレーションによって測定治具理想投影データとして演算する測定治具理想投影データ演算工程と、前記測定治具実測投影データと前記測定治具理想投影データとによって回転中心補正係数を演算する回転中心補正係数演算工程と、前記被検体に関する投影データを、前記検出器の実際の位置によって患者投影データとして収集する患者投影データ収集工程と、前記患者投影データを、前記回転中心補正係数によって補正する前処理工程と、を有する。
【発明の効果】
【００１３】
本発明に係る核医学診断装置、核医学画像の回転中心補正用の測定治具及び核医学画像の回転中心補正方法によると、核医学画像の画質を向上することができる。
【発明を実施するための最良の形態】
【００１４】
本発明に係る核医学診断装置、核医学画像の回転中心補正用の測定治具及び核医学画像の回転中心補正方法の実施形態について、添付図面を参照して説明する。
【００１５】
図１は、本発明に係る核医学診断装置の実施形態を示すブロック図である。図１は、本実施形態の核医学診断装置の機能を示すブロック図である。
【００１６】
図１は、本実施形態の核医学診断装置、例えばＳＰＥＣＴ（ｓｉｎｇｌｅ  ｐｈｏｔｏｎ  ｅｍｉｓｓｉｏｎ  ｃｏｍｐｕｔｅｄ  ｔｏｍｏｇｒａｐｈｙ）装置１０の構成を示す。そのＳＰＥＣＴ装置１０は、その内部に備えるＣＰＵ（図示しない）がプログラムを実行することによって、条件設定部４１、測定治具実測投影データ収集部４２、測定治具理想投影データ演算部４３、回転中心補正係数演算部４４及び回転中心補正係数記録部４５として機能する。なお、ＳＰＥＣＴ装置１０の各構成要素がソフトウェア的に機能する場合として説明するが、ＳＰＥＣＴ装置１０の各構成要素は、回路等のハードウェアによって構築されるものであってもよい。
【００１７】
図２は、検出器の“たわみ”を説明するための図である。
【００１８】
図２は、患者に投与された放射性同位物質から放射されるガンマ線を検出する検出器６１と、その検出器６１を保持する回転支持機構６２とを示している。図２（ａ）は、検出器６１の“たわみ”を説明するための側面図（ｙｚ平面図）であり、図２（ｂ）は、検出器６１の“たわみ”を説明するための前面図（ｘｙ平面図）であり、図２（ｃ）は、検出器６１の“たわみ”を説明するための頂面図（ｘｚ平面図）である。
【００１９】
ＳＰＥＣＴ装置１０では、検出器６１の視野中心軸Ａ１が検出器６１の回転中心軸Ａ２と垂直に交わるように設計されている。しかし実際は、検出器６１としてガンマカメラ等の重量の大きいものが用いられているため、回転支持機構６２に保持される検出器６１を回転中心軸Ａ２の円周上に沿って回転させると、検出器６１の重量や検出器６１の支持部材の強度による影響によって図２（ａ）、（ｂ）及び（ｃ）に示すように検出器６１に“たわみ”が生じる場合がある。“たわみ”が生じる実際の位置の検出器６１Ｗでは、検出器６１Ｗの視野中心軸Ａ３が検出器６１の回転中心軸Ａ２からずれてしまう。よって、“たわみ”が生じる実際の位置の検出器６１Ｗを介して生成される核医学画像の中心が回転中心軸Ａ２からずれてしまう。したがって、“たわみ”が生じる実際の位置の検出器６１Ｗによって取得される核医学画像の画質が低下することになる。なお、検出器６１Ｗの“たわみ”の程度は、回転角度によって異なる。
【００２０】
そこで、まず、操作コンソール１２を、条件設定部４１、測定治具実測投影データ収集部４２、測定治具理想投影データ演算部４３、回転中心補正係数演算部４４及び回転中心補正係数記録部４５として機能させて、回転中心補正係数を予め取得する。
【００２１】
具体的には、条件設定部４１は、オペレータが入力装置３５を用いて入力することによって、回転中心補正係数の演算時におけるＳＰＥＣＴ装置１０の条件の設定する機能を有する。ＳＰＥＣＴ装置１０の条件とは、検出器６１の回転方向、回転半径、回転スピードや自重等、回転によって検出器６１に“たわみ”を生じさせる要因となる条件を指している。
【００２２】
測定治具実測投影データ収集部４２は、ＳＰＥＣＴ装置１０の撮影領域に設けられ、放射性同位物質を内包した複数のポイントソースに関する投影データを、”たわみ”が生じる実際の位置の検出器６１Ｗを介して回転角度毎に収集する機能を有する。”たわみ”が生じる実際の位置の検出器６１Ｗを介して収集したポイントソースに関する投影データを、測定治具実測投影データと称する。
【００２３】
図３は、本実施形態における核医学画像の回転中心補正用の測定治具の例を示す図である。
【００２４】
図３（ａ）は、放射性同位物質を内包したポイントソースを５つ有する測定治具４６を示している。図３（ａ）に示す測定治具４６は、１点で交差する２本の棒の交点にポイントソースＰ１を、棒の各先端にポイントソースＰ２，Ｐ３，Ｐ４及びＰ５をそれぞれ保持する。一方、図３（ｂ）は、放射性同位物質を内包したポイントソースを５つ有する測定治具４６を示している。なお、各ポイントソースは、測定治具４６の本体から着脱自在である場合でもよい。
【００２５】
図４は、本実施形態における核医学画像の回転中心補正用の測定治具の配置例を示す図である。図４（ａ）は、本実施形態における核医学画像の回転中心補正用の測定治具の配置例を示す側面図（ｙｚ平面図）であり、図４（ｂ）は、本実施形態における核医学画像の回転中心補正用の測定治具の配置例を示す前面図（ｘｙ平面図）である。
【００２６】
図４（ａ）及び（ｂ）に示すように、ＳＰＥＣＴ装置１０の撮影領域には、放射性同位物質を内包した測定治具４６を有する。ここでは、図３（ａ）に示した測定治具４６を、ＳＰＥＣＴ装置１０の撮影領域に設けるものとする。各ポイントソースＰ１，Ｐ２，Ｐ３，Ｐ４及びＰ５は、それぞれの位置関係を保ちつつ立体的に配置されている。
【００２７】
測定治具４６に有するポイントソースＰのうち、１点（図中のポイントソースＰ１）を、“たわみ”のない理想的な位置の検出器６１の視野中心軸Ａ１と検出器６１の回転中心軸Ａ２との交点に配置する。また、測定治具４６は、全ての回転角度における投影像において、各ポイントソースＰ１，Ｐ２，Ｐ３，Ｐ４及びＰ５の像が自身以外のポイントソースＰの像と重ならないようにＳＰＥＣＴ装置１０の撮影領域に設けられる。なお、ポイントソースＰは、ＳＰＥＣＴ装置１０に複数個配置すればよく、必ずしも５点を配置する必要はない。
【００２８】
また、図１に示した測定治具理想投影データ演算部４３は、ＳＰＥＣＴ装置１０の撮影領域に設けた複数のポイントソースの投影データを、“たわみ”のない理想的な位置の検出器６１によって収集することを想定したシミュレーションによって回転角度毎に演算する機能を有する。“たわみ”のない理想的な位置の検出器６１によって収集することを想定したシミュレーションによって演算したポイントソースに関する投影データを、測定治具理想投影データと称する。
【００２９】
回転中心補正係数演算部４４は、検出器６１で収集したポイントソースの位置情報に基づいて、検出器６１の重さの影響により“たわみ”により生じる検出面の傾きを補正する傾き補正情報を求める機能を有する。具体的には、回転中心補正係数演算部４４は、測定治具実測投影データ収集部４２によって収集された測定治具実測投影データを、測定治具理想投影データ演算部４３によって演算された測定治具理想投影データに近づけて一致させるためのアフィン変換（ａｆｆｉｎｅ  ｔｒａｎｓｆｏｒｍａｔｉｏｎ）による回転中心補正係数を回転角度毎に演算する。
【００３０】
図５は、測定治具実測投影データによる投影像と、測定治具理想投影データによる投影像とを合わせて示した図である。
【００３１】
回転中心補正係数演算部４４は、図５に示した測定治具実測投影データによる投影像を、測定治具理想投影データによる投影像に近づけて一致させるための三次元のアフィン変換係数を演算する。適切な三次元のアフィン変換係数によって測定治具実測投影データによる投影像に対して三次元空間内で平行移動及び回転移動を行なって測定治具理想投影データによる投影像に近づけ、測定治具実測投影データによる投影像と測定治具理想投影データによる投影像とを一致させることができる。このときの平行移動及び回転によって測定治具実測投影データを位置合わせした移動量逆にしたものが、回転中心補正値となる。
【００３２】
また、図１に示した回転中心補正係数記録部４５は、回転中心補正係数演算部４４によって演算された回転中心補正係数を回転角度の情報と共に記録する機能を有する。
【００３３】
また、ＣＰＵがプログラムを実行することによって、ＳＰＥＣＴ装置１０は、条件設定部５１、患者投影データ収集部５２、患者投影データ記録部５３、患者投影データ読出部５４、回転中心補正係数読出部５５、前処理部５６、画像再構成部５７、画像データ記録部５８及び表示制御部５９として機能する。
【００３４】
条件設定部５１は、オペレータが入力装置３５を用いて入力することによって、患者Ｍに関する投影データの収集時におけるＳＰＥＣＴ装置１０の条件の設定する機能を有する。ＳＰＥＣＴ装置１０の条件とは、検出器６１の回転方向、回転半径、回転スピードや検出器６１の自重等、回転によって検出器６１に“たわみ”を生じさせる要因となる条件を指している。
【００３５】
患者投影データ収集部５２は、放射性同位物質が投与された患者Ｍに関する投影データを、“たわみ”の生じる実際の位置の検出器６１Ｗを介して回転角度毎に収集する機能を有する。“たわみ”の生じた実際の位置の検出器６１Ｗを介して収集した患者Ｍに関する投影データを、患者投影データと称する。
【００３６】
患者投影データ記録部５３は、患者投影データ収集部５２によって収集された患者投影データを、回転角度の情報と共にメモリ３２等の記憶装置に記録する機能を有する。
【００３７】
患者投影データ読出部５４は、記憶装置に記憶された患者投影データを、回転角度の情報と共に読み出す機能を有する。
【００３８】
回転中心補正係数読出部５５は、条件設定部５１によって設定されたＳＰＥＣＴ装置１０の条件に対応する回転中心補正係数を、回転角度の情報と共にメモリ３２等の記憶装置から読み出す機能を有する。
【００３９】
前処理部５６は、患者投影データ読出部５４によって読み出された患者投影データに対して、前処理（均一性補正、回転中心補正及び前処理フィルタリング等）を回転角度毎に施す機能を有する。また、前処理部５６は、患者投影データ読出部５４によって読み出された所要の回転角度の患者投影データに対して、回転中心補正係数読出部５５によって読み出され、所要の回転角度に対応する回転角度の回転中心補正係数を用いて回転中心補正を実施する。なお、患者投影データ読出部５４によって読み出された所要の回転角度の患者投影データに対しては、回転中心補正係数読出部５５によって読み出され、所要の回転角度と一致する回転角度の回転中心補正係数を用いて回転中心補正を実施することが好適である。しかし、患者投影データ読出部５４によって読み出された所要の回転角度と一致する回転角度の回転中心補正係数が存在しない場合、所要の回転角度に近い回転角度の回転中心補正係数を補間することによって、所要の回転角度に対応する回転中心補正係数を演算する。
【００４０】
画像再構成処理部５７は、前処理部５６によって前処理された患者投影データと回転角度の情報とを基に、核医学画像の再構成処理を行なう機能を有する。
【００４１】
画像データ記録部５８は、画像再構成処理部５７によって再構成された核医学画像を画像データとしてメモリ３２等の記憶装置に記録する機能を有する。
【００４２】
表示制御部５９は、画像再構成処理部５７によって再構成された画像データを核医学画像として表示装置３６に表示させる機能を有する。
【００４３】
なお、図１に示したブロック図には、便宜上ハードウェアとして３つの記憶装置を示しているが、ハードウェアとしての記憶装置の個数を限定しているものではない。例えば、回転中心補正係数記録部４５による記録と、患者投影データ記録部５３による記録と、画像データ記録部５８による記録とを、ハードウェアとしての１つの記録装置に対して行なってもよい。
【００４４】
続いて、本実施形態の核医学画像の回転中心補正方法のうち、回転中心補正係数の演算方法について、図６に示すフローチャートを用いて説明する。図６に示すフローチャートでは、患者に関する核医学画像の生成に先立って、回転中心補正係数の取得が行なわれる。
【００４５】
まず、オペレータが入力装置３５を用いて入力することによって、回転中心補正係数の演算時におけるＳＰＥＣＴ装置１０の条件の設定する（ステップＳ１）。
【００４６】
ステップＳ１によって設定されたＳＰＥＣＴ装置１０の条件により、放射性同位物質を内包した複数のポイントソースに関する測定治具実測投影データを、”たわみ”が生じる実際の位置の検出器６１Ｗを介して回転角度毎に収集する（ステップＳ２）。なお、複数のポイントソースは、ＳＰＥＣＴ装置１０の撮影領域に、図４にて説明したように配置される。
【００４７】
次いで、図４にて説明したように配置された複数のポイントソースに関する測定治具理想投影データを、“たわみ”のない理想的な位置の検出器６１によって収集することを想定したシミュレーションによって回転角度毎に演算する（ステップＳ３）。
【００４８】
ステップＳ２によって収集した測定治具実測投影データによる投影像を、ステップＳ３によって演算した測定治具理想投影データによる投影像に近づけて一致させるための回転中心補正係数であるアフィン変換係数を回転角度毎に演算する（ステップＳ４）。測定治具実測投影データによる投影像を、測定治具理想投影データによる投影像に近づけるための三次元のアフィン変換係数を演算する。適切な三次元のアフィン変換係数によって測定治具実測投影データによる投影像に対して三次元空間内で平行移動及び回転移動を行ない、測定治具実測投影データは測定治具理想投影データによる投影像に近づき、一致することになる。
【００４９】
次いで、ステップＳ５によって演算された回転中心補正係数を回転角度の情報と共に記録して（ステップＳ５）、ステップＳ１によって設定されたＳＰＥＣＴ装置１０の条件についての回転中心補正係数の演算を終了する。
【００５０】
なお、ＳＰＥＣＴ装置１０の種々の条件毎に、ステップＳ１乃至Ｓ６の動作を行なうことによって、ＳＰＥＣＴ装置１０の種々の条件毎に回転中心補正係数を取得することができる。
【００５１】
続いて、本実施形態の核医学画像の回転中心補正方法のうち、回転中心補正係数の適用方法について、図７に示すフローチャートを用いて説明する。
【００５２】
まず、オペレータが入力装置３５を用いて入力することによって、患者Ｍの投影データの収集時におけるＳＰＥＣＴ装置１０の条件の設定する（ステップＳ１１）。
【００５３】
ＳＰＥＣＴ装置１０の天板２１上に放射性同位物質が投与された患者Ｍを寝載させ、患者Ｍに関する患者投影データを、“たわみ”の生じる実際の位置の検出器６１Ｗを介して回転角度毎に収集する（ステップＳ１２）。ステップＳ１２によって収集された患者投影データを、回転角度の情報と共にメモリ３２等の記憶装置に記録して（ステップＳ１３）、ステップＳ１１によって設定されたＳＰＥＣＴ装置１０の条件についての患者投影データの収集を終了する。
【００５４】
次いで、ステップＳ１１によって設定されたＳＰＥＣＴ装置１０の条件で収集して記憶装置に記憶された患者投影データを回転角度の情報と共に読み出す（ステップＳ１５）。一方、ステップＳ１１によって設定されたＳＰＥＣＴ装置１０の条件に対応する回転中心補正係数を、回転角度の情報と共にメモリ３２等の記憶装置から読み出す（ステップＳ１６）。
【００５５】
ステップＳ１５によって読み出された患者投影データに対して、ステップＳ１６によって読み出された回転中心補正係数を用いた回転中心補正やその他の前処理（均一性補正、回転中心補正及び前処理フィルタリング等）を施す（ステップＳ１７）。ステップＳ１７による回転中心補正処理は、ステップＳ１５によって読み出された所要の回転角度の患者投影データに対して、ステップＳ１６によって読み出され、所要の回転角度に対応する回転角度の回転中心補正係数を用いて回転中心補正を実施する。なお、ステップＳ１５によって読み出された所要の回転角度の患者投影データに対しては、ステップＳ１６によって読み出され、所要の回転角度と一致する回転角度の回転中心補正係数を用いて回転中心補正を実施することが好適である。しかし、ステップＳ１５によって読み出された所要の回転角度と一致する回転角度の回転中心補正係数が存在しない場合、所要の回転角度に近い回転角度の回転中心補正係数を補間することによって、所要の回転角度に対応する回転中心補正係数を演算する。
【００５６】
また、ステップＳ１６及びＳ１７の処理は、ステップＳ１２による患者投影データの収集処理に組み込まれる場合もある。
【００５７】
次いで、ステップＳ１７によって前処理された患者投影データと回転角度の情報とを基に、核医学画像の再構成処理を行なう（ステップＳ１８）。
【００５８】
次いで、ステップＳ１８によって再構成された核医学画像を画像データとしてメモリ３２等の記憶装置に記憶する（ステップＳ１９）。
【００５９】
また、ステップＳ１８によって再構成された画像データを核医学画像として表示装置３６に表示させる（ステップＳ２０）。
【００６０】
なお、ステップＳ１乃至Ｓ６と、ステップＳ１１乃至２０で説明した検出器６１の“たわみ”の補正に、検出器６１のシフト量の補正を併せてもよい。検出器６１のシフト量の補正では、ポイントソースＰ１の位置をフーリエ近似して、理想的な位置の検出器６１における実際の位置の検出器６１Ｗへのシフト量を平滑化する。よって、検出器６１のずれの変化量をシフト成分とたわみ成分とに分け、全てのポイントソースＰの重心位置を画像のシフト成分として算出し、フーリエ近似して、ずれの変化量を平滑化して、たわみ成分を合成した回転中心補正係数（一次式）を求める。
【００６１】
本発明に係る核医学診断装置、核医学画像の回転中心補正用の測定治具及び核医学画像の回転中心補正方法の実施形態によると、回転によって検出器６１に生じる“たわみ”の成分を補正することによって、核医学画像の画質を向上することができる。
【図面の簡単な説明】
【００６２】
【図１】本発明に係る核医学診断装置の実施形態を示すブロック図。
【図２】（ａ）は、検出器の“たわみ”を説明するための側面図、（ｂ）は、検出器の“たわみ”を説明するための前面図、（ｃ）は、検出器の“たわみ”を説明するための頂面図。
【図３】（ａ）は、本実施形態における核医学画像の回転中心補正用の測定治具の一例を示す図、（ｂ）は、本実施形態における核医学画像の回転中心補正用の測定治具の一例を示す図。
【図４】（ａ）は、本実施形態における核医学画像の回転中心補正用の測定治具の配置例を示す側面図、（ｂ）は、本実施形態における核医学画像の回転中心補正用の測定治具の配置例を示す前面図。
【図５】測定治具実測投影データによる投影像と、測定治具理想投影データによる投影像とを合わせて示した図。
【図６】本実施形態の核医学画像の回転中心補正方法のうち、回転中心補正係数の演算方法を示すフローチャート。
【図７】本実施形態の核医学画像の回転中心補正方法のうち、回転中心補正係数の適用方法を示すフローチャート。
【図８】検出器の回転角度とポイントソースのずれとの関係をグラフとして示す図。
【符号の説明】
【００６３】
１０  ＳＰＥＣＴ装置
４１  条件設定部
４２  測定治具実測投影データ収集部
４３  測定治具理想投影データ演算部
４４  回転中心補正係数演算部
４５  回転中心補正係数記録部
５１  条件設定部
５２  患者投影データ収集部
５３  患者投影データ記録部
５４  患者投影データ読出部
５５  回転中心補正係数読出部
５６  前処理部
５７  画像再構成部
５８  画像データ記録部
５９  表示制御部
６１  検出器
６２  回転支持機構
【図１】
2008145393.tif 000003
【図２】
2008145393.tif 000004
【図３】
2008145393.tif 000005
【図４】
2008145393.tif 000006
【図５】
2008145393.tif 000007
【図６】
2008145393.tif 000008
【図７】
2008145393.tif 000009
【図８】
2008145393.tif 000010